(57)【要約】【課題】太陽電池の受光部の開口面積を拡大できる太陽電池付時計を提供すること。【解決手段】本発明の太陽電池付時計は、受光部５２を備えた太陽電池５と、太陽電池５の裏面に接着された太陽電池保持板４と、太陽電池５及び太陽電池保持板４の裏面側に配置されたムーブメント３とを備える。太陽電池保持板４は係合片４１を備える。太陽電池保持板４は前記係合片４１によりムーブメント３に係合される。太陽電池５の裏面に接着された太陽電池保持板４は、太陽電池５の受光部を覆うことがないため、太陽電池５の受光部５２の開口面積を拡大できる。【選択図】図１
2012122932.tif 000002
【特許請求の範囲】
【請求項１】
受光部を備えた太陽電池と、
この太陽電池の裏面に接着され、かつ、係合片を有する太陽電池保持板と、
前記太陽電池及び前記太陽電池保持板の裏面側に配置されたムーブメントとを備えて構成され、
前記太陽電池保持板は前記係合片により前記ムーブメントに係合されている
ことを特徴とする太陽電池付時計。
【請求項２】
請求項１に記載の太陽電池付時計において、
前記太陽電池保持板は金属板である
ことを特徴とする太陽電池付時計。
【請求項３】
請求項２に記載の太陽電池付時計において、
前記金属板は磁性体である
ことを特徴とする太陽電池付時計。
【請求項４】
請求項１から請求項３のいずれかに記載の太陽電池付時計において、
前記係合片は、前記太陽電池保持板の外周端縁からムーブメント側に垂直方向に突出した突出部と、この突出部の端部から側方に延出された係止部とを備え、
前記係止部が、ムーブメントの係合部の裏面側に係止されている
ことを特徴とする太陽電池付時計。
【発明の詳細な説明】
【技術分野】
【０００１】
本発明は、太陽電池付時計に関する。
【背景技術】
【０００２】
従来、受光部を備えた太陽電池と、この太陽電池を裏面側から支持する太陽電池受け部材を備える太陽電池付時計が知られている（例えば、特許文献１参照）。
このような太陽電池付時計において、太陽電池をムーブメントなどに固定する構造として、図４に示すような太陽電池押さえ部材を用いたものがある。
具体的には、この太陽電池付時計は、図４に示すように、受光部を備えた太陽電池５と、この太陽電池５の裏面側に配置されたムーブメント３と、この太陽電池５の表面側から押さえてムーブメント３に固定する太陽電池押さえ部材７とを備えている。
このような太陽電池付時計では、太陽電池５は導通バネによりムーブメント３の回路基板と電気的に接続している。そして、太陽電池５はこの導通バネにより、太陽電池付時計の表面側に付勢される。そこで、このような太陽電池付時計では、太陽電池５が太陽電池付時計の表面側に移動しないように固定するために、太陽電池押さえ部材７に太陽電池５の受光部を押さえる部分を設けている。
【先行技術文献】
【特許文献】
【０００３】
【特許文献１】特許第３４８９３７７号公報
【発明の概要】
【発明が解決しようとする課題】
【０００４】
しかしながら、このような太陽電池付時計では、太陽電池の受光部の一部が太陽電池押さえ部材に覆われているため、太陽電池の受光部の開口面積（受光面積）が小さくなる。
【０００５】
本発明の目的は、太陽電池の受光部の開口面積を拡大できる太陽電池付時計を提供することにある。
【課題を解決するための手段】
【０００６】
本発明の太陽電池付時計は、受光部を備えた太陽電池と、この太陽電池の裏面に接着され、かつ、係合片を有する太陽電池保持板と、前記太陽電池及び前記太陽電池保持板の裏面側に配置されたムーブメントとを備えて構成され、前記太陽電池保持板は前記係合片により前記ムーブメントに係合されていることを特徴とする。
【０００７】
本発明の太陽電池付時計では、太陽電池の裏面に太陽電池保持板を接着させて固定し、この太陽電池保持板をムーブメントに固定することにより、太陽電池が太陽電池付時計の表面側に移動しないように固定している。従って、本発明によれば、従来の太陽電池押さえ部材を設けた場合のように、太陽電池の受光部を太陽電池押さえ部材で覆うことがないため、従来に比べて、太陽電池の受光部の開口面積を拡大できる。
【０００８】
本発明の太陽電池付時計では、前記太陽電池保持板は金属板であることが好ましい。
太陽電池保持板がプラスチック製の場合には、強度確保のためにある程度の厚みが必要となる。これに対し、太陽電池保持板が金属製であれば、プラスチック製のものよりも薄くても強度確保を図ることができる。そのため、太陽電池保持板として金属板を使用することで、太陽電池付時計を薄型化できる。
【０００９】
本発明の太陽電池付時計では、前記金属板は磁性体であることが好ましい。
本発明によれば、磁性体によりムーブメントに入射する電磁波を遮ることができるために、太陽電池付時計の耐磁性能を向上できる。
【００１０】
本発明の太陽電池付時計では、前記係合片は、前記太陽電池保持板の外周端縁からムーブメント側に垂直方向に突出した突出部と、この突出部の端部から側方に延出された係止部とを備え、前記係止部が、ムーブメントの係合部の裏面側に係止されていることが好ましい。
【００１１】
このような本発明では、係合片を容易に製造することができる。
すなわち、係合片の内面側にフック部を有する係合片を形成する場合には、太陽電池保持板の外周端縁の一部を折り曲げ、さらにその端部をフック状になるように内側に折り曲げるため、２回の折り曲げ工程が必要になる。これに対し、本発明における係合片は、突出部および係止部を平面Ｌ字状に形成しておくことで、１回の折り曲げ工程により形成できるため、係合片を容易に製造できて製造効率を向上できる。
【図面の簡単な説明】
【００１２】
【図１】本発明の一実施形態に係る太陽電池付時計の時計本体を構成する太陽電池保持板、太陽電池及びムーブメントを示す平面図。
【図２】前記太陽電池付時計における太陽電池保持板の係合片近傍を示す部分側面図。
【図３】前記太陽電池付時計における太陽電池保持板の係合片近傍を示す斜視図。
【図４】従来の太陽電池付時計における太陽電池押さえ部材近傍を示す部分側面図。
【発明を実施するための形態】
【００１３】
以下、本発明の一実施形態を図面に基づいて説明する。
〔太陽電池付時計の概略構成〕
図１は、本実施形態に係る太陽電池付時計の時計本体を構成する太陽電池保持板４、太陽電池５及びムーブメント３を示す平面図である。なお、図１では、太陽電池保持板４を実線で表示するため、太陽電池５は２点鎖線で記載している。
太陽電池付時計１は、時計本体１０と、時計本体１０を収容する外装ケース２０（図２参照）とで概略構成され、利用者が腕に装着する腕時計タイプとされている。
【００１４】
〔外装ケースの構成〕
図２は、太陽電池付時計１における太陽電池保持板４の係合片４１近傍を示す部分側面図であり、具体的には、太陽電池保持板４の後述する係合片４１近傍のII−II線（図１参照）で断面し、その断面から見た係合片４１及びその近傍を示す部分側面図である。
外装ケース２０は、筒状の本体ケース（胴）２１と、本体ケース２１の上面側に取り付けられるリング状のベゼル２２と、本体ケース２１の下面側の開口を閉塞する裏蓋２３と、ベゼル２２の上面側の内周面に取り付けられるカバーガラス２４とを備える。
【００１５】
ベゼル２２には、その内周側に凸部２２１が連続して設けられている。この凸部２２１では、その上面２２１１及び下面２２１２が平面となっている。
凸部２２１の上面２２１１は、前記カバーガラス２４の下面に当接して支持している。また、凸部２２１の下面２２１２は、文字板６の外周部の表面に当接することで、文字板６を固定する。
凸部２２１には、上面２２１１から下面２２１２に向かって傾斜面２２１３が設けられている。
【００１６】
〔時計本体の構成〕
時計本体１０は、図１，２に示すように、ムーブメント３と、太陽電池保持板４と、太陽電池５と、文字板６とを備える。太陽電池５の裏面には太陽電池保持板４が接着されている。そして、ムーブメント３は太陽電池５及び太陽電池保持板４の裏面側に配置される。
【００１７】
〔ムーブメントの構成〕
ムーブメント３は、地板、回路基板、ステッピングモーター、駆動輪列等が組み込まれた一般的な構成を採用しているため、以下では説明を省略する。このムーブメント３には、図１に示すように、後述する太陽電池保持板４の係合片４１が係合する３つの係合部３１と、後述する太陽電池保持板４の第１位置決め突起部４２が係合する２つの第１位置決め係合部３２と、ムーブメント３から突出された２つの第２位置決め突起部３３とが設けられている。また、図２，３に示すように、係合部３１の表面には傾斜面３１１が設けられている。
【００１８】
〔太陽電池の構成〕
太陽電池５は、図１に示すように、電池基板５１と、電池基板５１の表面側に形成された太陽電池の受光部５２とを備えており、受光部５２の外側に基板外周部５３を有する。また、受光部５２は、複数の領域に分割され、各領域の出力を直列接続することで発電電圧を向上させている。そして、特に図示を省略したが、太陽電池５は、基板外周部５３の領域の広い部分において電池基板５１の裏面側に端子を設け、この端子と受光部とが導通するよう、電池基板５１に貫通穴を設ける。そして、この端子に導通バネを接続し、この導通バネを介してムーブメント３の回路基板に電気的に接続する。
【００１９】
これにより、太陽電池５は、文字板６を透過した太陽光が受光部５２に当たることで発電を行い、受光部５２で発電された電力は、導通バネを介して回路基板に設けられた二次電池に充電され、この二次電池の出力でステッピングモーター等が駆動される。
なお、太陽電池５は、前記導通バネにより、太陽電池付時計１の表面側に付勢されるが、後述する太陽電池保持板４により、太陽電池付時計１の表面側に移動しないように固定される。
【００２０】
太陽電池５には、図１に示すように、２つの第２位置決め係合部５４が設けられている。第２位置決め係合部５４は、太陽電池５の外周端縁に平面視略半円状に切り欠き形成される。
【００２１】
〔太陽電池保持板の構成〕
太陽電池保持板４は平板状に形成され、図１〜３に示すように、３つの係合片４１と、２つの第１位置決め突起部４２と、２つの第２位置決め係合部４３とを備える。
係合片４１は、図３に示すように、太陽電池保持板４の外周端縁から外側に向かって延長された延長部４１１と、延長部４１１の先端からムーブメント３側に突出された突出部４１２と、突出部４１２の先端から側方に延出された係止部４１３とを備えて構成されている。
そして、この係合片４１が、ムーブメント３の係合部３１に係合することで、太陽電池保持板４はムーブメント３に位置決め固定される。具体的には、図３に示すように、係合片４１の係止部４１３がムーブメント３の裏面側に回り込むことで、係合片４１とムーブメント３の係合部３１とが係合する。
【００２２】
第１位置決め突起部４２は、太陽電池保持板４の外周端縁からムーブメント３側に突出するよう形成されている。そして、この第１位置決め突起部４２が、ムーブメント３の第１位置決め係合部３２に係合することで、太陽電池保持板４とムーブメント３との位置決めおよび回り止めをすることができる。
第２位置決め係合部４３は、太陽電池保持板４の外周端縁に平面視略半円状に切り欠き形成される。そして、この第２位置決め係合部４３が、ムーブメント３の第２位置決め突起部３３に係合することで、太陽電池保持板４とムーブメント３との位置決めをすることができる。
なお、太陽電池保持板４の第２位置決め係合部４３と太陽電池５の第２位置決め係合部５４とは同じ形状、サイズであるため、重ね合わされる。従って、太陽電池５に太陽電池保持板４を接着する際の位置合わせにも利用できる。
【００２３】
この太陽電池保持板４の材質は特に限定されないが、本実施形態では、金属である黄銅製のものを用いている。このような場合、黄銅はある程度薄い厚みでも強度確保を図ることができるため、太陽電池保持板４の厚みを例えば０．２ｍｍ以下とすることができる。
また、太陽電池保持板４と太陽電池５との接着方法は特に限定されないが、本実施形態では、エポキシ系接着剤を用いる方法を採用している。
【００２４】
〔文字板の構成〕
文字板６は、透光性の材料により、図１及び図２に示すように、太陽電池５の受光部５２全体を覆う大きさに形成されている。なお、文字板６は、少なくとも受光部５２全体を覆う大きさであればよい。従って、文字板６は、受光部５２だけでなく基板外周部５３まで含む太陽電池５全体を覆う大きさであってもよい。
【００２５】
〔太陽電池付時計の組み立て〕
次に、図１を参照して、太陽電池付時計１の組み立て方法について説明する。
先ず、エポキシ系接着剤を用いて、太陽電池保持板４を太陽電池５の裏面に接着させる。この際、各第２位置決め係合部４３，５４を位置合わせして接着すればよい。
次に、太陽電池保持板４の第１位置決め突起部４２を、ムーブメント３の第１位置決め係合部３２に係合させ、さらに、太陽電池保持板４の第２位置決め係合部４３を、ムーブメント３の第２位置決め突起部３３に係合させることで、太陽電池保持板４とムーブメント３との位置合わせする。そして、太陽電池保持板４の係合片４１を、ムーブメント３の係合部３１に係合させることで、太陽電池保持板４をムーブメント３に固定する。
この際、係止部４１３を傾斜面３１１に当接させた状態で太陽電池保持板４をムーブメント３側に押し込むと、係止部４１３が傾斜面３１１で案内され、係合片４１は撓んで外側に広がる。さらに、太陽電池保持板４を押し込むと、係止部４１３が係合部３１の外周面側から裏面側に移動し、自動的に係合部３１に係止される。
次いで、各部材３〜６を外装ケース２０に収容することで、太陽電池付時計１を組み立てる。
【００２６】
上述した本実施形態に係る太陽電池付時計１によれば、以下の効果を奏する。
本実施形態では、太陽電池５の裏面に太陽電池保持板４を接着させて固定し、この太陽電池保持板４をムーブメント３に固定することにより、太陽電池５が太陽電池付時計１の表面側に移動しないように固定している。従って、本実施形態によれば、従来の太陽電池押さえ部材を設けた場合のように、太陽電池の受光部の一部を太陽電池押さえ部材が覆うことがない（図２及び図４参照）。そのため、従来に比べて、太陽電池５の受光部５２の開口面積を拡大できる。
【００２７】
本実施形態では、太陽電池保持板４が金属製のものであるため、プラスチック製のものよりも薄くても強度確保を図ることができる。そのため、本実施形態によれば、太陽電池保持板４として金属板を使用することで、太陽電池付時計１の薄型化が可能となる。
【００２８】
本実施形態では、ムーブメント３の係合部３１の一部には傾斜面３１１が設けられている。これにより、太陽電池付時計１の組み立ての際には、太陽電池保持板４の係合片４１の係止部４１３を傾斜面３１１で案内して係合部３１の裏面側に係止できる。そのため、係合片４１と係合部３１との係合が容易となり、太陽電池付時計１の組み立て効率を向上できる。
【００２９】
〔実施形態の変形〕
なお、本発明は前述の実施形態に限定されるものではなく、本発明の目的を達成できる範囲での変形、改良等は本発明に含まれるものである。
前記実施形態では、太陽電池保持板４として黄銅製のものを用いたが、プラスチック製のものを用いてもよい。また、このような場合に、時計本体１０が耐磁板を更に備える構成であってもよい。
さらに、太陽電池保持板４として金属でありかつ磁性体であるステンレス製のものを用いてもよい。これによれば、磁性体である太陽電池保持板４によりムーブメント３に入射する電磁波を遮ることができるために、太陽電池付時計１の耐磁性能を向上できる。
【００３０】
前記実施形態では、太陽電池保持板４の係合片４１を３つとしているが、この係合片４１の数や形成位置は前記実施形態のものに限定されず、太陽電池保持板４をムーブメント３に固定できればよい。
前記実施形態では、太陽電池保持板４の係合片４１は図３に示すような形状としたが、係合片４１は特に限定されない。例えば、係合片４１は、太陽電池保持板４の外周端縁からムーブメント３側に突出し、その端部は太陽電池保持板４の中心方向（内面側）に延出するよう形成されていてもよい。
前記実施形態では、本発明に係る時計として、腕時計タイプの時計を例示して説明したが、これに限らず、壁掛け時計等、他のタイプの時計であってもよい。
【符号の説明】
【００３１】
１…太陽電池付時計、３…ムーブメント、４…太陽電池保持板、５…太陽電池、４１…係合片、５２…受光部、４１２…突出部、４１３…係止部。
【図１】
2012122932.tif 000003
【図２】
2012122932.tif 000004
【図３】
2012122932.tif 000005
【図４】
2012122932.tif 000006